(57)【要約】【課題】  薬液タンク内の希釈水を、取水ポンプによって外部の河川等から取水する場合は、不純ものが多く、散布ブームの噴射ノズルに詰り易い。【解決手段】  防除機において、前記薬液タンク３の底部に、防除ポンプ６の吸入口７との間を連結するポンプ回路８を設け、このポンプ回路８に、防除切替弁１１と、フィルター１０と、取水切替弁９とを配置し、前記取水切替弁９に形成の取水口１２に、取水ポンプ１３によって外部の水を吸入して前記ポンプ回路８に取込む取水回路１４を連結可能に設け、前記防除切替弁１１に形成の給水口１５に、前記取水回路１４、及びポンプ回路８を経た取水を薬液タンク３へ供給する給水回路１６を連結可能に設ける。【選択図】  図６
2015084664.tif 000002
【特許請求の範囲】
【請求項１】
乗用車体（１）上運転席（２）の後側部に防除用薬液を収容する薬液タンク（３）を搭載し、前記車体（１）の前端部に薬液を散布する噴射のノズル（４）を有した散布ブーム（５）を配置する防除機において、
前記薬液タンク（３）の底部に、防除ポンプ（６）の吸入口（７）との間を連結するポンプ回路（８）を設け、このポンプ回路（８）に、防除切替弁（１１）と、フィルター（１０）と、取水切替弁（９）とを配置し、前記取水切替弁（９）に形成の取水口（１２）に、取水ポンプ（１３）によって外部の水を吸入して前記ポンプ回路（８）に取込む取水回路（１４）を連結可能に設け、前記防除切替弁（１１）に形成の給水口（１５）に、前記取水回路（１４）、及びポンプ回路（８）を経た取水を薬液タンク（３）へ供給する給水回路（１６）を連結可能に設けたことを特徴とする防除機の薬液タンク。
【請求項２】
前記防除切替弁（９）、及び取水切替弁（１１）を、前記薬液タンク（３）の後底部（１７）に設けたことを特徴とする請求項１に記載の防除機の薬液タンク。
【発明の詳細な説明】
【技術分野】
【０００１】
この発明は、農作物防除機において、薬液を収容する薬液タンクに関するもので、簡単な構成、及び操作によって、この薬液タンクに補給する薬液混合用の水を、河川等から取水するものである。
【背景技術】
【０００２】
防除用薬液希釈の取水を、リザーブタンクの圧力水によって駆動される取水ポンプによって行う技術（例えば、特許文献１参照）が知られている。
【先行技術文献】
【特許文献】
【０００３】
【特許文献１】特開２００６ー２３９４７５号公報
【発明の概要】
【発明が解決しようとする課題】
【０００４】
薬液タンク内の希釈水を、取水ポンプによって外部の河川等から取水する場合は、不純ものが多く、散布ブームの噴射ノズルに詰り易い。
【課題を解決するための手段】
【０００５】
請求項１に記載の発明は、乗用車体１の運転席２の後側部に防除用薬液を収容する薬液タンク３を搭載し、前記車体１の前端部に薬液散布する噴射のノズル４を有した散布ブーム５を配置する防除機において、
前記薬液タンク３の底部に、防除ポンプ６の吸入口７との間を連結するポンプ回路８を設け、このポンプ回路８に、防除切替弁１１と、フィルター１０と、取水切替弁９とを配置し、前記取水切替弁９に形成の取水口１２に、取水ポンプ１３によって外部の水を吸入して前記ポンプ回路８に取込む取水回路１４を連結可能に設け、前記防除切替弁１１に形成の給水口１５に、前記取水回路１４、及びポンプ回路８を経た取水を薬液タンク３へ供給する給水回路１６を連結可能に設けたことを特徴とする防除機の薬液タンクの構成とする。
【０００６】
請求項２に記載の発明は、前記防除切替弁９、及び取水切替弁１１を、前記薬液タンク３の後底部１７に設ける。
【発明の効果】
【０００７】
請求項１に記載の発明は、前記ポンプ回路８の取水切替弁９の取水口１２に、取水回路１４を連結して、外部河川等から吸入される水は、ポンプ回路８の途中に位置するフィルター１０によってろ過されるものであるから、この取水が薬液タンク３で薬剤を希釈して薬液として調製されてのち防除ポンプ６の駆動により散布ブーム５側へ供給されるときは、再度このポンプ回路８のフィルター１０を通って、再ろ過されながら、異物、ごみ等のろ過除去効果を高めて、きれいな薬液として噴射ノズル４から噴出させることができ、噴射ノズル等の詰りの少い、円滑な薬液散布作用を維持させることができる。しかも、前記フィルター１０を有するポンプ回路８を、散布作業時の散布回路と、薬液調製用の取水作業時の取水回路とに、共用化することによって、簡単で、安価な構成とすることができる。
【０００８】
請求項２に記載の発明は、前記防除ポンプ６、及びこのポンプ回路８と共に、このポンプ回路８に沿って配置される取水切替弁９や、防除切替弁１１等が、車体１後端部上に搭載の薬液タンク３の後底部１７に設けるため、各取水切替弁９や、防除切替弁１１等の切替操作を行い易くし、取水切替弁９の取水口１２に対する取水回路１４の連結、着脱を行い易くし、防除切替弁１１の給水口１５への給水回路１６の連結、着脱操作等を行い易くすることができる。
【０００９】
これら前記取水回路１４の着脱、及び取水切替弁９の切替操作や、給水回路１６の着脱、及び防切替弁１１の切替弁１１の切替操作等作業は、防除ポンプ６を停止して車体１走行を止めた状態で行うものであるから、車体１の後側部からの操作、作業を行われ易い状態にある。
【図面の簡単な説明】
【００１０】
【図１】防除機の平面図。
【図２】その側面図。
【図３】その正面図。
【図４】その背面図。
【図５】散布ブームの使用状態を示す正面図。
【図６】薬剤散布の回路図。
【図７】ポンプ回路部の背面図（Ａ）と、側面図（Ｂ）。
【図８】別例を示す散布ブーム部の平面図。
【図９】その一部の斜視図。
【図１０】別例を示す散布ブーム部の斜視図。
【図１１】後輪踏跡散布の回路図。
【発明を実施するための形態】
【００１１】
図面に基づいて、防除機は、乗用運転席２の前側にエンジン１８、及びステアリングハンドル１９を配置して、前輪２０、後輪２１を駆動、操向して走行する四輪走行形態の車体１の後部に、薬液タンク３を搭載し、この車体１の前部に、薬液噴射ノズル４を有した散布ブーム５を、左右横方向水平状に支架して薬液散布する構成としている。前記散布ブーム５は、車体１前端部の左右前輪２０間隔幅部を散布するセンタブーム５Ａと、前輪２０の左右両外側部幅域を散布するサイドブーム５Ｂとを構成する。しかも、このサイドブーム５Ｂは、長さを伸縮可能にして、散布幅域を変更できる形態としている。又、左右のサイドブーム５Ｂは、内端部を回動軸２２回りに支持させて、前後方向へ街道可能に構成して、防除作業を行わない状態では、サイドブーム５Ｂを後方へ回動させて収納状態にすることができる。
【００１２】
前記薬液タンク３から各散布ブーム５へ薬液を送る薬液散布回路は、防除ポンプ６の駆動によって、この薬液タンク３の薬液を汲み出すポンプ回路８と、この防除ポンプ６から汲み出された薬液を圧力回路２３に送出す吐出回路２４と、この圧力回路２３から各散布ブーム５へ分岐供給する散布回路２５とを主体として構成される。前記各回路８、２４、２５等は管路や、ホース等を主体として構成され、切替弁１２、１１や、フィルター１０等を一部に連結する。
【００１３】
前記圧力回路２３には、エアチャンバー２６、流量制御弁２７を操作する操作レバー２８、流量センサ２９、及び安全弁３０等を設けて、各散布回路２５へ供給する薬液流量、及び薬液圧を一定以上に維持することができる。又、安全弁３０部からは薬液タンク３に亘って連通の余液回路３１が設けられて、吐出回路２４から供給される設定以上の供給余液を、この余液回路３１を経て薬液タンク３へ戻すものである。又、前記吐出回路２４には、薬液タンク３との間に亘って撹拌回路３２が設けられて、この撹拌回路３２を経て薬液タンク３内に薬液の一部を戻すことによって、薬剤と希釈水との撹拌混合性を高めるものである。
【００１４】
ここにおいて、乗用車体１の運転席２の後側部に防除用薬液を収容する薬液タンク３を搭載し、前記車体１の前端部に薬液散布する噴射のノズル４を有した散布ブーム５を配置する防除機において、
前記薬液タンク３の底部に、防除ポンプ６の吸入口７との間を連結するポンプ回路８を設け、このポンプ回路８に、防除切替弁１１と、フィルター１０と、取水切替弁９とを配置し、前記取水切替弁９に形成の取水口１２に、取水ポンプ１３によって外部の水を吸入して前記ポンプ回路８に取込む取水回路１４を連結可能に設け、前記防除切替弁１１に形成の給水口１５に、前記取水回路１４、及びポンプ回路８を経た取水を薬液タンク３へ供給する給水回路１６を連結可能に設けたことを特徴とする防除機の薬液タンクの構成とする。
【００１５】
薬液を散布する散布作業時は、取水切替弁９の取水口１２は閉鎖されて、防除切替弁１１の給水口５も閉鎖されている。防除ポンプ６の駆動によって、薬液タンク３の薬液がポンプ回路８から前記取水切替弁９、フィルター１０、及び防除切替弁１１を経て、吸入口７へ吸入されて、この防除ポンプ６から散布ブーム５側へ流出される。このとき、このポンプ回路８を流れる薬液は、フィルター１０を通過する間にろ過される。この薬液タンク３内の薬液量が減少して、薬液を調製するときは、前記防除ポンプ６を停止して、取水切替弁９の取水口１２に取水回路１４を連結し、防除切替弁１１の給水口１５に給水回路１６を連結した形態とする。そして、これら各切替弁９、１１の取水口１２と、給水口１５を開いて、前記取水ポンプ１３の駆動によって、河川等から汲みあげられた水は、この取水回路１４からポンプ回路８に取込まれて、フィルター１０、防除切替弁１１の給水口１５、及び給水回路１６を経て、薬液タンク３内へ供水されて、薬減を調製される。
【００１６】
このような薬液タンク３における薬液調製が完して、薬液散布を開始するときは、前記取水切替弁９の取水口１２を閉じて、防除切替弁１１の給水口１５を閉めた状態として、防除ポンプ６を駆動する。
【００１７】
又、前記防除切替弁９、及び取水切替弁１１を、前記薬液タンク３の後底部１７に設ける。
前記薬液タンク３の薬液が防除作業中に減少して、薬液を調製するときは、この調製位置で車体１の走行を停止して、防除ポンプ６を停止した状態で、作業者は車体１の後側部に位置して、取水切替弁９の取水口１２に取水回路１４を連結する。又、給水回路１６が着脱自在の形態であって、取外された状態にあるときは、この給水回路１６をも防除切替弁１１の給水口１５に連結する。これら各回路１４、１６の連結された状態で、各切替弁９、１１を取水口１２、給水口１５に開いて、この取水回路１４の取水ポンプ１３を駆動する、この取水ポンプ１３の駆動によって、河川から汲みあげられた水が、取水回路１４からポンプ回路８へ取込まれ、更に給水回路１４を経て薬液タンク３へ供給されて、薬剤と混合希釈して、薬液を調製する。このような薬液調整を終ると、前記各切替弁９、１１の操作を戻して、取水切替弁９の取水口１２を閉じて、取水回路１４の連結を取外し、又、必要なら、防除切替弁１１の給水口１５に連結の給水回路１６を取外して防除再開姿勢に戻すことができる。
【００１８】
前記ポンプ回路８は、薬液タンク３の後端底部１７と、この薬液タンク３の下側部に位置する車体１の取付ブラケット３３に取付けられた防除ポンプ６の吸入口７との間を連結し、このポンプ回路８には、三方切替弁形態の取水切替弁９、及び防除切替弁１１と、フィルター１０とを設けて、これら切替弁９、１１の切替操作によって、薬液タンク３の薬液を、防除ポンプ６の駆動によって、吐出回路２４、散布回路２５側へ散布流出させたり、又、取水ポンプ１３の駆動によって、外部河川等の水を取水回路１４からポンプ回路８内へ取入れて、給水回路１６を経て薬液タンク３へ供給して、薬剤を希釈混合して薬液を調製することができる形態としている。
【００１９】
取水回路１４を連結して、外部の水を薬液タンク３に取込むときは、この取水回路１４の取水ポンプ１３を駆動するが、この取水ポンプ１３は電動モータを有して電動することができるが、車体１におけるエンジン１８による動力を直接、又は間接的に利用して取水ポンプ１３を駆動する形態とすることもできる。この取水ポンプ１３の吸水ホース３４の吸水口部にはフィルター３５を設けている。又、取水切替弁９の取水口１２には取水回路１４を着脱自在に連結しているが、この取水回路１４は常時取付けた状態にしておくことも可能で、この場合は、取水ポンプ１３を車体１後端部のキャリア３６上に搭載する等により保持させて、防除作業走行中も運搬することができる。
【００２０】
又、防除切替弁１１の吸水口１５に連結する吸水回路１６も着脱可能とするが、この吸水回路１６を常時取付けた形態の構成とすることができる。この吸水回路１６を用いて外部水を取込むときは、この防除切替弁１１の吸水口１５を閉鎖すると共に、前記取水切替弁９の取水口１２をも閉鎖しているため、薬液タンク３からポンプ回路８を経て流れる薬液は、前記各切替弁９、フィルター１０、及び切替弁１１を経て、防除ポンプ６の吸入口７へ流入することができる。従って、この防除ポンプ６の駆動によって、薬液タンク３の薬液がこのポンプ回路８を経て吸入口７へ吸入され、吐出口３７から吐出回路２４へ押出されて、圧力回路２３へ送出される。このような薬液の防除ポンプ６側への汲み出しが行われている間は、前記取水切替弁９の取水口１２、及び防除切替弁１１の吸水口１５が閉鎖されているため、前記取水回路１４や、吸水回路１６が取付けられたままの状態にあっても、これらの取水回路１４や、吸水回路１６に、取水できない状態に保持することができる。
【００２１】
次に、主として図８、図９において、前記防除作業が、除草剤を薬液として土壌面に散布する場合は、車体１の後輪２１による踏跡を散布して除草効果を高めるために、後輪２１の後側に噴射ノズル４を対向させた噴管４０を配置したもので、リヤアクスルハウジング４３の左右両端部の操向軸４４の周りに後輪２１を操向するタイロッド４１の後側に、取付ブラケット４２を設け、この取付ブラケット４２の左右両端部に噴管４０を取付支持する。この取付ブラケット４２及び噴管４０は、後輪２１操作に伴って左右方向へ同期揺動されて、常時後輪２１の踏跡土壌面部に散布する。
【００２２】
又、図１０においては、後輪２１を軸装４５の操向ケース４６の後側にブラケット４７を設け、このブラケット４７の後端に連結軸４８周りに、上下調節可能のホルダアーム４９を設け、このホルダアーム４９の保持部５０に前記噴管４０を保持させるものである。前記ホルダアーム４９の基部には、連結軸４８周りに円弧状の長穴５１を形成し、この長穴５１から挿通してブラケット４７に締付けるロックボルト５２を設け、このロックボルト５２の操作によって、ホルダアーム４９の固定を弛めて、上下方向へ回動調節して、ノズル４の高さ位置や、噴射角度等を変更調節できる形態としている。ノズル４は操向ケース４６の操向揺動と同期して行われ、前記操向軸４４の周りに回動して、後輪２１の常時踏跡を薬液散布する状態を維持する。
【００２３】
又、図１１においては、防除ポンプ６の駆動によって、吸液ホース５３を介して汲みあげた薬液を、レバー５４操作によって防除弁５５を開くことによって、吐出回路５６を経て三方切替弁５７へ送出し、この切替弁５７を操作することによって、前記各散布ブーム５へ薬液を送出したり、後輪２１の踏跡へ薬液散布するように噴管４０を連結することができる。５４はこれら噴管４０連結用の後輪２１踏跡回路５４用のホースである。又、前記切替弁５７を前側の散布ブーム５側へ開くと共に、後側の後輪２１踏跡側噴管４０側へも同時に開くことができ、同時散布することができる。
【符号の説明】
【００２４】
１    車体
２    運転席
３    薬液タンク
４    噴射ノズル
５    散布ブーム
６    防除ポンプ
７    吸入口
８    ポンプ回路
９    取水切替弁
１０    フィルター
１１    防除切替弁
１２    取水口
１３    取水ポンプ
１４    取水回路
１５    給水口
１６    給水回路
１７    タンクの後底部
【図１】
2015084664.tif 000003
【図２】
2015084664.tif 000004
【図３】
2015084664.tif 000005
【図４】
2015084664.tif 000006
【図５】
2015084664.tif 000007
【図６】
2015084664.tif 000008
【図７】
2015084664.tif 000009
【図８】
2015084664.tif 000010
【図９】
2015084664.tif 000011
【図１０】
2015084664.tif 000012
【図１１】
2015084664.tif 000013